(57)【特許請求の範囲】
【請求項１】
設置面に太陽電池パネルを所定の傾斜角度に支持する太陽電池パネル架台であって、
前記設置面に固定される固定部材と、
前記太陽電池パネルを支持する支柱部材と、
前記固定部材と前記支柱部材とを接合する接合部材とを備え、
前記固定部材および前記支柱部材の一方の部材には、第１締結孔と、複数の第２締結孔とが形成され、
前記接合部材には、前記一方の部材と接合されるときに前記第１締結孔と重なる第３締結孔と、前記複数の第２締結孔と重なる複数の第４締結孔とが形成され、
該複数の第４締結孔は、前記第３締結孔を中心とする円弧に沿って伸びる長孔状に形成されるとともに、少なくとも１つ以上が他と異なる高さに位置していて、
重なった前記第１締結孔および前記第３締結孔には第１締結具が挿通され、重なった前記複数の第２締結孔および前記複数の第４締結孔には第２締結具が挿通されて、前記第１締結具および前記第２締結具がそれぞれ締結されることで前記接合部材と前記一方の部材とが接合され、
前記接合部材は、前記固定部材と前記支柱部材との接合高さを調整可能であることを特徴とする太陽電池パネル架台。
【請求項２】
前記接合部材は、前記固定部材に固定される固定部材接合部と、前記支柱部材に固定される支柱部材接合部と、前記固定部材接合部と前記支柱部材接合部とを連結する第３締結具とを備え、該第３締結具は、前記固定部材接合部と前記支柱部材接合部との高さ方向の間隔を調整可能であることを特徴とする請求項１に記載の太陽電池パネル架台。
【請求項３】
前記接合部材は、前記固定部材に固定される固定部材接合部と、前記支柱部材に固定される支柱部材接合部と、前記固定部材接合部と前記支柱部材接合部とを連結する第３締結具とを備え、前記支柱部材接合部は、前記支柱部材に固定される位置を高さ方向に変更可能に構成されていることを特徴とする請求項１または２に記載の太陽電池パネル架台。
【請求項４】
前記支柱部材は、前記太陽電池パネルを回動可能に支持するとともに、該太陽電池パネルを回動方向の所定の角度において係止可能な係止部を備えていることを特徴とする請求項１乃至３のいずれか１項に記載の太陽電池パネル架台。
【請求項５】
請求項１乃至４のいずれか１項に記載の太陽電池パネル架台に太陽電池パネルが固定されていることを特徴とする太陽電池装置。
【発明の詳細な説明】
【技術分野】
【０００１】
本発明は、太陽電池パネルを敷地や屋根等の設置面に固定するための太陽電池パネル架台、およびこの太陽電池パネル架台に太陽電池パネルを装着した太陽電池装置に関する。
【背景技術】
【０００２】
地球環境保護の観点から、クリーンエネルギーとして太陽電池発電による電力利用が注目されている。例えば、一般住宅の屋根に太陽電池パネルを設置し、家庭内で使用する電力を補助するという態様がよく知られている。
また、近年においては、太陽電池による大規模発電が模索され、広大な敷地に多数の太陽電池パネルを設置して多量の電力を供給する試みも行われている。
【０００３】
このような多数の太陽電池パネルを設置する太陽電池装置（メガソーラ）は、設置するために広大な敷地が必要であるため、埋立地に計画されることが多い。しかし、埋立地では、地盤の不等沈下が生じる虞があり、これにより太陽電池パネルの傾斜角度が変わってしまうことが考えられる。
このため、地盤の不等沈下が生じた場合も、太陽電池パネルの傾斜角度を所定の角度に支持できるように、太陽電池パネルを支持する枠組みの構造を強固にした太陽電池装置が知られている。
【０００４】
また、特許文献１および２には、設置した地盤が不等沈下した場合や設置面が傾斜している場合でも、太陽電池パネルの傾斜角度を所望の傾斜角度に調整可能な太陽電池パネル架台が開示されている。
これらの太陽電池パネル架台は、設置面に固定される固定部材と、太陽電池パネルを支持する支柱部材とを備え、これらの固定部材と支柱部材とが任意の角度で接続可能に構成されている。これにより、設置した地盤が不等沈下した場合や設置面が傾斜している場合でも、固定部材と支柱部材との接続角度を調整することで太陽電池パネルを所定の傾斜角度および高さに支持することができる。
【先行技術文献】
【特許文献】
【０００５】
【特許文献１】特開２００９−３０２１２３号公報
【特許文献２】特開２０１０−２５８０２４号公報
【発明の概要】
【発明が解決しようとする課題】
【０００６】
しかしながら、特許文献１および２に開示されているような太陽電池パネル架台は、調整可能な支持部のレベル差は数センチメートル程度であり、更に大きなレベル差の調整にに対応しようとすると、太陽電池パネルの荷重や風力などの外力により、固定部材と支柱部材との接合が緩んでしまい、太陽電池パネルの傾斜角度が変化してしまうという虞がある。
【０００７】
本発明は、上述する事情に鑑みてなされたもので、設置した地盤が不等沈下した場合や設置面が傾斜している場合でも、太陽電池パネルを所定の傾斜角度に確実に支持することができる太陽電池パネル架台および太陽電池装置を提供することを目的とする。
【課題を解決するための手段】
【０００８】
上記目的を達成するため、本発明に係る太陽電池パネル架台は、設置面に太陽電池パネルを所定の傾斜角度に支持する太陽電池パネル架台であって、前記設置面に固定される固定部材と、前記太陽電池パネルを支持する支柱部材と、前記固定部材と前記支柱部材とを接合する接合部材とを備え、前記固定部材および前記支柱部材の一方の部材には、第１締結孔と、複数の第２締結孔とが形成され、前記接合部材には、前記一方の部材と接合されるときに前記第１締結孔と重なる第３締結孔と、前記複数の第２締結孔と重なる複数の第４締結孔とが形成され、該複数の第４締結孔は、前記第３締結孔を中心とする円弧に沿って伸びる長孔状に形成されるとともに、少なくとも１つ以上が他と異なる高さに位置していて、重なった前記第１締結孔および前記第３締結孔には第１締結具が挿通され、重なった前記複数の第２締結孔および前記複数の第４締結孔には第２締結具が挿通されて、前記第１締結具および前記第２締結具がそれぞれ締結されることで前記接合部材と前記一方の部材とが接合され、前記接合部材は、前記固定部材と前記支柱部材との接合高さを調整可能であることを特徴とする。
また、本発明に係る太陽電池装置では、上記太陽電池パネル架台に太陽電池パネルが固定されていることを特徴とする。
【０００９】
本発明では、第４締結孔が第３締結孔を中心とする円弧に沿って延びる長孔状であることにより、接続部材と一方の部材とが接続される角度を第３締結孔を中心として調整することができるため、接続部材で接続される固定部材と支柱部材との角度を調整することができる。
そして、複数の第４締結孔が、少なくとも１つ以上が他と異なる高さに位置していることにより、複数の第２締結具は、太陽電池パネルの荷重や風力などの外力に対して緩みにくく、接続部材と一方の部材とを確実に接続することができる。
【００１０】
また、本発明に係る太陽電池パネル架台では、前記接合部材は、前記固定部材に固定される固定部材接合部と、前記支柱部材に固定される支柱部材接合部と、前記固定部材接合部と前記支柱部材接合部とを連結する第３締結具とを備え、該第３締結具は、前記固定部材接合部と前記支柱部材接合部との高さ方向の間隔を調整可能であることが好ましい。
このようにすることにより、固定部材接合部と支柱部材接合部との高さ方向の間隔を調整することで、太陽電池パネルの高さを調整することができる。
【００１１】
また、本発明に係る太陽電池パネル架台では、前記接合部材は、前記固定部材に固定される固定部材接合部と、前記支柱部材に固定される支柱部材接合部と、前記固定部材接合部と前記支柱部材接合部とを連結する第３締結具とを備え、前記支柱部材接合部は、前記支柱部材に固定される位置を高さ方向に変更可能に構成されていることを特徴とする。
このようにすることにより、支柱部材接合部が支柱部材に固定される位置を高さ方向に変更することで、太陽電池パネルの高さを調整することができる。
【００１２】
また、本発明に係る太陽電池パネル架台では、前記支柱部材は、前記太陽電池パネルを回動可能に支持するとともに、該太陽電池パネルを回動方向の所定の角度において係止可能な係止部を備えていることが好ましい。
このようにすることにより、太陽電池パネルの傾斜方向を精度よく調整することができる。
【００１３】
また、本発明による太陽電池装置では、上述したいずれかに記載された太陽電池パネル架台に太陽電池パネルが固定されていることを特徴とする。
本発明によれば、太陽電池パネル架台を設置した地盤が不等沈下した場合や設置面が傾斜している場合でも、太陽電池パネル架台の傾斜角度を調整することで、太陽電池パネル架台に保持された太陽電池パネルを所定の傾斜角度に支持することができる。
【発明の効果】
【００１４】
本発明によれば、第４締結孔が第３締結孔を中心とする円弧に沿って延びる長孔状であることにより、接続部材と一方の部材とが接続される角度を第３締結孔を中心として調整することができるため、接続部材で接続される固定部材と支柱部材との角度を調整することができる。
そして、複数の第４締結孔が、少なくとも１つ以上が他と異なる高さに位置していることにより、複数の第２締結具は、太陽電池パネルの荷重や風力などの外力に対して緩みにくく、接続部材と一方の部材とを確実に接続することができる。
【図面の簡単な説明】
【００１５】
【図１】本発明の実施形態による太陽電池装置の一例を示す正面図である。
【図２】本発明の実施形態による太陽電池装置の一例を示す側面図である。
【図３】（ａ）は本発明の実施の形態による太陽電池パネル架台の一例を示す正面図、（ｂ）は側面図である。
【図４】折り曲げ鋼板を説明する斜視図である。
【図５】支柱部材を説明する斜視図である。
【図６】固定部材接合部を説明する斜視図である。
【図７】支柱部材接合部を説明する斜視図である。
【図８】設置面が不等沈下し東西方向に傾斜したときの太陽電池パネルの調整方法を説明する図である。
【図９】設置面が不等沈下し北側に傾斜したときの太陽電池パネルの調整方法を説明する図である。
【図１０】設置面が不等沈下し南側に傾斜したときの太陽電池パネルの調整方法を説明する図である。
【図１１】設置面が均等に沈下した時の太陽電池パネルの調整方法を説明する図である。
【図１２】太陽電池パネルを２台の太陽電池パネル架台で支持している場合に設置面が不等沈下したときの太陽電池パネルの調整方法を説明する図である。
【発明を実施するための形態】
【００１６】
以下、本発明の実施形態による太陽電池パネル架台について、図１乃至図１２に基づいて説明する。
図１および図２に示すように、本実施形態による太陽電池装置１は、太陽電池パネル２と、この太陽電池パネル２を敷地１１や屋根等の設置面１０に支持する太陽電池パネル架台３とを備えている。
なお、本実施形態では、太陽電池パネル架台３は、敷地１１に設置された基礎１２に固定されている。
【００１７】
太陽電池パネル２は、ガラス板と、このガラス板の表面に配列された多数の太陽電池素子とを備え、全体として板状に形成され、太陽光が照射される照射面２ａに太陽光が照射されると発電するように構成されている。なお、太陽電池パネル２の種類は特に限定されることはなく、公知の太陽電池パネルを用いることができる。
このような太陽電池パネル２は、通常、太陽光が照射される照射面２ａが南上方を向くように設置されている。そして、太陽電池パネル２は、その照射面２ａが太陽光の照射の向きに対して垂直に近いほど効率的に発電することができる。
このため、本実施形態による太陽電池装置１では、太陽電池パネル架台３が、太陽電池パネル２を、南上方を向く所望の傾斜角度となるように支持している。
【００１８】
太陽電池パネル架台３は、設置面１０に固定される固定部材４と、太陽電池パネル２を支持する支柱部材５と、固定部材４と支柱部材５とを連結する接合部材６と、支柱部材５と太陽電池パネル２との間に設けられて太陽電池パネル２を所定の傾斜角度に係止して保持する角度保持部７とを備えている。
【００１９】
図３に示すように、固定部材４は、断面形状が略コの字型状となるように鋼板を折り曲げて形成した一対の折り曲げ鋼板４１，４１と、一対の折り曲げ鋼板４１，４１どうしを所定の間隔をあけて連結する一対の連結プレート４２，４２とを備えている。
一対の折り曲げ鋼板４１，４１は、平面視において略コの字型状となる向きで、互いの内側を対向させるように配置されている。
【００２０】
そして、一対の折り曲げ鋼板４１，４１の端部４１ａ，４１ａ（図３（ｂ）参照）どうしが連結プレート４２で連結されている。折り曲げ鋼板４１と連結プレート４２とは、例えば、ボルト接合や溶接などによって接合されている（図３ではボルト接合されている）。
これにより、固定部材４は、一対の折り曲げ鋼板４１，４１と一対の連結プレート４２，４２とが平面視において四角形を形成するように配されていて、これらの一対の折り曲げ鋼板４１，４１および一対の連結プレート４２，４２の内側に支柱部材５（図３参照）が挿通可能に構成されている。
ここで、本実施形態では、連結プレート４２に直交する方向を東西方向（図中の矢印Ａの方向）とし、折り曲げ鋼板４１の中間部４１ｂ（図３（ａ）参照）に直交する方向を南北方向（図中の矢印Ｂの方向）として以下説明する。
【００２１】
また、図４に示すように、一対の折り曲げ鋼板４１，４１には、それぞれ中間部４１ｂに１つの第１ボルト孔（第１締結孔）４３と、複数の第２ボルト孔（第２締結孔）４４とが形成されている。
本実施形態では、４つの第２ボルト孔４４が、第１ボルト孔４３の両側に２つずつ間隔をあけて形成されている。
第１ボルト孔４３は、第１ボルト８１（第１締結具、図３参照）が挿通可能な丸孔に形成され、第２ボルト孔４４は、第２ボルト８２（第２締結具、図３参照）が挿通可能な丸孔に形成されている。
【００２２】
そして、４つの第２ボルト孔４４のうち、第１ボルト孔４３と近い側の第２ボルト孔４４Ａと、第１ボルト孔４３と遠い側の第２ボルト孔４４Ｂとは、異なる高さに形成されている。
図３に戻り、折り曲げ鋼板４１の下端部４１ｃには、設置面１０に当接可能な当接部４５が形成されていて、この当接部４５が、例えばアンカーボルト４６などによって設置面１０に固定されている。
【００２３】
本実施形態では、連結プレート４２は、折り曲げ鋼板４１に対して高さ方向の長さが短く形成されていて、折り曲げ鋼板４１の上部側に取り付けられている。これにより、連結プレート４２の下端部４２ａと設置面１０との間には空部が形成されていて、この空部から一対の折り曲げ鋼板４１，４１および一対の連結プレート４２，４２の内側にアクセス可能となっている。
【００２４】
支柱部材５は、鉛直方向に延在する角型鋼管からなり、下端部５ａが固定部材４の内部に挿通可能に構成されている。また、図１および図２に示すように、支柱部材５は、上端部５ｃが太陽電池パネル２を回動可能に支持している。
【００２５】
図５に示すように、支柱部材５は、対向する一対の面５ｂ，５ｂに複数の第１高さ調整用ボルト孔５１が形成されている。
この複数の第１高さ調整用ボルト孔５１が形成されている面５ｂ，５ｂは、東西方向に直交する面となっている。
本実施形態では、両端の第１高さ調整用ボルト孔５１Ａが中央の第１高さ調整用ボルト孔５１Ｂよりも低い位置となる３つの第１高さ調整用ボルト孔５１の組５１Ｃが、高さ方向に所定の間隔をあけてそれぞれ３組形成されている。
【００２６】
図３に戻り、接合部材６は、固定部材４に固定される一対の固定部材接合部６１，６１と、支柱部材５に固定される一対の支柱部材接合部６２，６２と、鉛直方向に延在し固定部材接合部６１と支柱部材接合部６２とを連結する連結用ボルト６３およびナット６４とを備えている。
【００２７】
図３および図６に示すように、固定部材接合部６１は、断面形状がコの字型のチャンネル鋼材で、対向する両端部６１ａ，６１ａが水平となり、両端部６１ａ，６１ａの間に位置する中間部６１ｂが鉛直となるように設置されている。すなわち、両端部６１ａ，６１ａが上下に配されて、その間に中間部６１ｂが配されている。
この、固定部材接合部６１は、固定部材４（図３参照）に固定されると、中間部６１ｂが固定部材４の折り曲げ鋼板４１の中間部４１ｂと当接するように構成されている。
【００２８】
図６に示すように、固定部材接合部６１は、中間部６１ｂに、１つの第３ボルト孔（第３締結孔）６５と、複数の第４ボルト孔（第４締結孔）６６とが形成されている。
本実施形態では、４つの第４ボルト孔６６が、第３ボルト孔６５の両側に２つずつ間隔をあけて形成されている。
第３ボルト孔６５は、第１ボルト８１（図３参照）が挿通可能な丸孔に形成されている。第４ボルト孔６６は、第２ボルト８２（図３参照）が挿通可能であるとともに、第３ボルト孔６５を中心とする円弧に沿った長孔に形成されている。
そして、４つの第４ボルト孔６６のうち、第３ボルト孔６５と近い側の第４ボルト孔６６Ａと、第３ボルト孔６５と遠い側の第４ボルト孔６６Ｂとは、異なる高さに形成されている。
【００２９】
固定部材接合部６１が折り曲げ鋼板４１（図４参照）と当接すると、第３ボルト孔６５が折り曲げ鋼板４１の第１ボルト孔４３（図４参照）と重なり、第４ボルト孔６６が折り曲げ鋼板４１の第２ボルト孔４４（図４参照）と重なるように構成されている。
そして、重なった第１ボルト孔４３と第３ボルト孔６５には、第１ボルト８１（図３参照）が挿通され、重なった第２ボルト孔４４と第４ボルト孔６６には第２ボルト８２（図３参照）が挿通される。これらの第１ボルト８１および第２ボルト８２にナットが締結されることで、固定部材接合部６１と折り曲げ鋼板４１とが接合されるように構成されている。
このとき、第４ボルト孔６６は第３ボルト孔６５を中心とする円弧に沿った長孔に形成されているため、第２ボルト８２（第３ボルト孔６５）を中心として固定部材接合部６１と折り曲げ鋼板４１とが接合される角度を調整することができる。
【００３０】
また、図３および図６に示すように、固定部材接合部６１は、両端部６１ａ，６１ａに、それぞれ連結用ボルト６３（図３参照）が挿通可能な第１連結用ボルト孔６７が形成されている。
本実施形態では、固定部材接合部６１の両端部６１ａ，６１ａに、それぞれ２つずつ計４つの第１連結用ボルト孔６７が形成されていて、上端部６１ａの第１連結用ボルト孔６７と下端部６１ａの第１連結用ボルト孔６７とは、上下方向に重なる位置に形成されている。
そして、連結用ボルト６３は、上下方向に延在する向きに設置され、１つの連結用ボルト６３が上下方向に重なる第１連結用ボルト孔６７，６７に挿通されるように構成されている。
【００３１】
図３および図７に示すように、支柱部材接合部６２は、断面形状がコの字型のチャンネル鋼材で、対向する両端部６２ａ，６２ａが水平となり、両端部６２ａ，６２ａの間に位置する中間部６２ｂが鉛直となるように設置されている。すなわち、両端部６２ａ，６２ａが上下に配されて、その間に中間部６２ｂが配されている。
この、支柱部材接合部６２は、支柱部材５（図３参照）に固定されると、中間部６２ｂが支柱部材５の第１高さ調整用ボルト孔５１が形成された面５ｂと当接するように構成されている。このため、支柱部材接合部６２は、固定部材接合部６１（図３参照）と延在方向が直交するように取り付けられている。
【００３２】
図７に示すように、支柱部材接合部６２は、中間部６２ｂに、第２高さ調整用ボルト孔６８が形成されている。
本実施形態では、３つの第２高さ調整用ボルト孔６８が形成されていて、３つの第２高さ調整用ボルト孔６８のうち、両端の第２高さ調整用ボルト孔６８Ａが中央の第２高さ調整用ボルト孔６８Ｂよりも低い位置に形成されている。
この３つの第２高さ調整用ボルト孔６８は、支柱部材接合部６２が図５に示す支柱部材５と当接すると、支柱部材５に３組形成された第１高さ調整用ボルト孔５１の組５１Ｃのいずれか１組の３つの第１高さ調整用ボルト孔５１と重なるように構成されている。
【００３３】
そして、重なった第１高さ調整用ボルト孔５１（図５参照）と第２高さ調整用ボルト孔６８には、高さ調整用ボルト８３（第３締結具、図３参照）が挿通され、高さ調整用ボルト８３にナットが締結されることで、支柱部材接合部６２と支柱部材５とが接合されるように構成されている。
このとき、支柱部材５には、第１高さ調整用ボルト孔５１の組５１Ｃが高さ方向に間隔をあけて３組形成されているため、いずれか１組を選択して第２高さ調整用ボルト孔６８と重ねて高さ調整用ボルト８３で締結することにより、支柱部材５に対する支柱部材接合部６２の取りつけ高さを調整することができる。
【００３４】
図３および図７に示すように、支柱部材接合部６２は、両端部６２ａ，６２ａに、それぞれ連結用ボルト６３（図３参照）が挿通する第２連結用ボルト孔６９が形成されている。
本実施形態では、支柱部材接合部６２の両端部６２ａ，６２ａに、それぞれ２つずつ計４つの第２連結用ボルト孔６９が形成されていて、上端部６２ａの第２連結用ボルト孔６９と下端部６２ａの第２連結用ボルト孔６９とは、上下方向に重なる位置に形成されている。
【００３５】
図３に示すように、支柱部材接合部６２が支柱部材５に取り付けられるとともに、固定部材接合部６１が固定部材４に取り付けられると、支柱部材接合部６２の第２連結用ボルト孔６９と、固定部材接合部６１の第１連結用ボルト孔６７とが、上下方向に重なり、上下方向に重なった第１連結用ボルト孔６７および第２連結用ボルト孔６９には、１つの連結用ボルト６３が挿通可能に構成されている。
【００３６】
そして、固定部材接合部６１の上下および支柱部材接合部６２の上下において、連結用ボルト６３にナット６４が締結されることで、固定部材接合部６１と支柱部材接合部６２とが連結される。このとき、固定部材接合部６１と支柱部材接合部６２との間隔を任意の間隔に設定することで、固定部材接合部６１に対して任意の高さに支柱部材接合部６２を連結することができる。
これにより、固定部材接合部６１が取り付けられた固定部材４に対して、支柱部材接合部６２が取り付けられた支柱部材５の高さを調整することができる。
【００３７】
また、本実施形態では、固定部材接合部６１の一対の両端部６１ａ，６１ａの間と、支柱部材接合部６２の一対の両端部６２ａ，６２ａの間に、連結用ボルト６３が挿通可能な筒体７０が設置されている。この筒体７０は、鋼材などで形成され、固定部材接合部６１の一対の両端部６１ａ，６１ａ間の長さ、および、支柱部材接合部６２の一対の両端部６２ａ，６２ａ間の長さと略同一となるように形成されている。
【００３８】
このように、固定部材接合部６１の一対の両端部６１ａ，６１ａの間と、支柱部材接合部６２の一対の両端部６２ａ，６２ａの間に筒体７０が配設されることにより、連結用ボルト６３に外力がかかったときに、固定部材接合部６１の一対の両端部６１ａ，６１ａの間、および、支柱部材接合部６２の一対の両端部６２ａ，６２ａの間において連結用ボルト６３が変形することが防止される。
なお、この筒体７０は必要に応じて設置されればよく、設置されていなくてもよい。
【００３９】
また、本実施形態では、一対の支柱部材接合部６２，６２どうしを連結する連結材８４が設けられている。
連結材８４は、一対の支柱部材接合部６２，６２の上側の端部６２ａに架けるように設置された鋼板で、連結用ボルト６３が挿通可能な連結材ボルト孔８４ａが形成されている。
【００４０】
そして、連結材８４は、一対の支柱部材接合部６２，６２の上部に、その連結材ボルト孔８４ａが支柱部材接合部６２の第２連結用ボルト孔６９と重なるように架設され、連結用ボルト６３およびナット６４で締結されることで、一対の支柱部材接合部６２，６２どうしを連結することができる。
なお、連結材８４は、鋼板に代わって、例えばＬ形鋼とし、一対の支柱部材接合部６２，６２どうしを連結するとともに、支柱部材５に固定されるように構成されていてもよい。
なお、この連結材８４は必要に応じて設置されればよく、設置されていなくてもよい。
【００４１】
図１および２に戻り、角度保持部７は、支柱部材５に設置された係止部７１と、介装部材７２を介して太陽電池パネル２に固定され係止部７１に所定の位置に係止される被係止部７３とを備えている。
図２に示すように、介装部材７２は、２つの棒状の部材７４，７５を備えていて、棒状の部材７４，７５の一方の端部７４ａ，７５ａがそれぞれ太陽電池パネル２の照射面２ａと反対側の面２ｂに所定の間隔をあけて固定され、他方の端部７４ｂ，７５ｂどうしが連結されて略Ｌ字型または略Ｖ字型を形成している。
【００４２】
また、介装部材７２は、棒状の部材７４，７５の他方の端部７４ｂ，７５ｂが被係止部７３と接続されている。
被係止部７３は、係止部７１に対して所定の位置で係止可能に構成されている。
本実施形態では、係止部７１と被係止部７３とがボルトで接合されるように構成されている。そして、被係止部７３には、太陽電池パネル２の回動方向に沿って複数のボルト孔が形成されていて、これらの複数のボルト孔から１つを選択し係止部７１と接合することで、太陽電池パネル２の傾斜角度を調整可能に構成されている。
【００４３】
次に、太陽電池装置１が設置されている設置面１０が沈下した場合の、太陽電池パネル架台３の調整方法について説明する。
ここでは、不等沈下して設置面１０が東西方向に傾斜した場合、南北方向に傾斜した場合、および、設置面１０が均等に沈下して設置面１０の高さが低くなった場合について説明する。
なお、太陽電池パネル架台３の傾斜角度および高さを調整するときには、支柱部材５にジャッキ（不図示）を取り付け、ジャッキの調整により太陽電池パネル架台３を所定の傾斜角度および高さに戻すものとする。
【００４４】
まず、設置面１０が沈下により東西方向に傾斜した場合について説明する。
設置面１０が東西方向に傾斜した場合は、図３に示す第１ボルト８１および第２ボルト８２を緩め、固定部材４に対する固定部材接合部６１の固定を解除する。そして、ジャッキで支柱部材５の角度を変更させて太陽電池パネル２の傾斜角度を所定の傾斜角度に戻す調整をする。
このとき、第４ボルト孔６６が第３ボルト孔６５を中心とする円弧に沿った長孔に形成されているため、第１ボルト８１（第３ボルト孔６５）を中心として固定部材４と固定部材接合部６１とが接合される角度を調整することができる。
【００４５】
そして、図８に示すように、太陽電池パネル２の傾斜角度が所定の傾斜角度に戻り、固定部材４および固定部材接合部６１の位置が確定したら、第１ボルト孔４３および第３ボルト孔６５に第１ボルト８１を挿通させて締結するとともに、第２ボルト孔４４および第４ボルト孔６６に第２ボルト８２を挿通させて締結する。こうして、いったん緩めたボルト８１，８２を締め直すことができる。
これにより、設置面１０が東西方向に傾斜した場合にも、支柱部材５を所定の角度に戻すことができる。
【００４６】
次に、設置面１０が沈下により南北方向に傾斜した場合について説明する。
設置面１０が南北方向に傾斜した場合は、角度保持部７の被係止部７３が係止部７１に係止される位置を調整して太陽電池パネル２の傾斜角度を調整する。
まず、被係止部７３の係止部７１への係止を解除し、太陽電池パネル２を回動可能な状態とする。
そして、図９に示すように、設置面１０が北側に傾斜し太陽電池パネル２が北側に傾斜した場合は、太陽電池パネル２を南側（図中の矢印Ｃの方向）に回動させ、元の傾斜角度に戻した状態で被係止部７３を係止部７１に係止させる。
また、図１０に示すように、設置面１０が南側に傾斜し太陽電池パネル２が南側に傾斜した場合は、太陽電池パネル２を北側（図中の矢印Ｄの方向）に回動させ、元の傾斜角度に戻した状態で被係止部７３を係止部７１に係止させる。
【００４７】
次に、設置面１０が傾斜せずに均等に沈下した場合について説明する。
設置面１０が傾斜せずに均等に沈下した場合は、連結用ボルト６３に対する固定部材接合部６１および支柱部材接合部６２の高さ方向の位置を調整し、固定部材接合部６１と支柱部材接合部６２との高さ方向の離間距離を調整する方法と、支柱部材５に対する支柱部材接合部６２の取り付け高さを調整する方法とがあり、この２つの方法について説明する。
【００４８】
前者の方法では、まず、図３に示す連結用ボルト６３に螺合し支柱部材接合部６２を締結しているナット６４を緩め、連結用ボルト６３に対して支柱部材接合部６２が上下方向に移動可能な状態とする。
続いて、ジャッキで支柱部材５を持ち上げて、支柱部材５を所定の高さに戻るように上昇させる。このとき、支柱部材５とともに支柱部材接合部６２も上昇する。
続いて、支柱部材５が上昇した状態で、支柱部材接合部６２を連結用ボルト６３にナット６４で締結し、支柱部材接合部６２の高さを固定する。
これにより、支柱部材５が所定の高さに復元される。
【００４９】
後者の方法では、まず、高さ調整用ボルト８３を外し、支柱部材接合部６２の支柱部材５への固定を解除する。
なお、調整前は、図３に示すように、支柱部材５に形成された３組の第１高さ調整用ボルト孔５１の組５１Ｃのうち、一番上側に形成された組５１Ｃの第１高さ調整用ボルト孔５１と、支柱部材接合部６２の第２高さ調整用ボルト孔６８とが重なり、高さ調整用ボルト８３が締結されているものとする。
【００５０】
続いて、ジャッキで支柱部材５を持ち上げて、太陽電池パネル２の高さを所定の高さに戻るように上昇させる。そして、上昇した支柱部材５の第１高さ調整用ボルト孔５１と支柱部材接合部６２の第２高さ調整用ボルト孔６８とが水平方向に重なるように高さ調整を行う。なお、第２高さ調整用ボルト孔６８と水平方向に重なる第１高さ調整用ボルト孔５１は、中間部または一番下側に形成された組５１Ｃの第１高さ調整用ボルト孔５１となる。なお、本実施形態では、図１１に示すように、一番下側に形成されたの第１高さ調整用ボルト孔５１となる。
【００５１】
続いて、調整された高さにおいて、第１高さ調整用ボルト孔５１および第２高さ調整用ボルト孔６８に高さ調整用ボルト８３を挿通させ、図１１に示すように、高さ調整用ボルト８３およびナットで支柱部材５に支柱部材接合部６２を固定する。
これにより、支柱部材５は、高さ調整する前と比べて、高い位置に設置されるため、太陽電池パネル２（図２参照）の位置を上昇させることができる。
【００５２】
なお、前者の方法と後者の方法とを組み合わせて太陽電池パネル２を上昇させてもよい。このようにすることにより、精度よく太陽電池パネル２の高さを調整することができる。
また、設置面１０が沈下するとともに傾斜し、太陽電池パネル２の傾斜角度および高さを調整する必要がある場合は、上述した太陽電池パネル２の傾斜角度を調整する方法と、高さを調整する方法とを組み合わせて行えばよい。
また、設置面１０が東西方向および南北方向に傾斜した場合は、上述した設置面１０が東西方向に傾斜した場合に太陽電池パネル２の傾斜角度を調整する方法と、設置面１０が南北向に傾斜した場合に太陽電池パネル２の傾斜角度を調整する方法とを組み合わせて行えばよい。
【００５３】
次に、太陽電池パネル２を複数の太陽電池パネル架台３で支持しているときに、設置面１０の不等沈下が起こった場合について説明する。ここでは、図１２に示すように、２つの太陽電池パネル架台３で太陽電池パネル２を支持していて、設置面１０が東西方向に傾斜した場合について説明する。
ここで、２つの太陽電池パネル架台３のうち一方を第１太陽電池パネル架台３Ａとし、他方を第２太陽電池パネル架台３Ｂとし、第１太陽電池パネル架台３Ａを基準として高さおよび傾斜角度を調整する。なお、太陽電池パネル架台３の傾斜角度および高さを、例えば第１太陽電池パネル架台３Ａを基準として調整する場合には、第２太陽電池パネル架台３Ｂの支柱部材５にジャッキを取り付けて行う。
【００５４】
まず、第１太陽電池パネル架台３Ａおよび第２太陽電池パネル架台３Ｂの第１ボルト８１、第２ボルト８２を緩め、固定部材接合部６１の固定部材４への固定を解除する。次に、第２太陽電池パネル架台３Ｂの高さ調整用ボルト８３を外し、第２太陽電池パネル架台３Ｂの支柱部材接合部６２の支柱部材５への固定を解除する。
続いて、ジャッキで第１太陽電池パネル架台３Ａの第１ボルト８１を中心として第２太陽電池パネル架台３Ｂの支柱部材５の傾斜角度および高さ調整をし、第１太陽電池パネル架台３Ａおよび第２太陽電池パネル架台３Ｂの支柱部材５の位置を元の位置に戻す。
【００５５】
なお、第２太陽電池パネル架台３Ｂの支柱部材接合部６２の第２連結用ボルト孔６９（図７参照）が東西方向に延びる長孔に形成されていることが好ましい。
これにより、固定部材４に対する支柱部材５の東西方向の位置が変わり、固定部材接合部６１と支柱部材接合部６２とが東西方向にずれた場合でも、第１連結用ボルト孔６７および第２連結用ボルト孔６９とが上下方向に重なるため、第１連結用ボルト孔６７および第２連結用ボルト孔６９に連結用ボルト６３を挿通させることができる。
このように、太陽電池パネル２を複数の太陽電池パネル架台３で支持している場合に、１つの太陽電池パネル架台３を基準として傾斜角度を調整した場合でも、基準となった太陽電池パネル架台３以外の太陽電池パネル架台３を合わせて調整することにより、傾斜角度調整をすることができる。
【００５６】
続いて、第１太陽電池パネル架台３Ａおよび第２太陽電池パネル架台３Ｂの固定部材４に固定部材接合部６１を固定するとともに、支柱部材５に支柱部材接合部６２を固定する。
なお、高さ調整において、連結用ボルト６３に対する支柱部材接合部６２の高さを調整して行ってもよい。
【００５７】
次に、上述した太陽電池パネル架台３の作用効果について図面を用いて説明する。
本実施形態による太陽電池パネル架台３では、設置面１０が傾斜した場合でも、固定部材４と支柱部材５とを接続する角度を調整することにより、太陽電池パネル２を任意の傾斜角度に設置することができる。
、そして、固定部材４の第２ボルト孔４４および固定部材接合部６１の第４ボルト孔６６が、全て同一の高さに位置せず、２つずつ異なる高さに位置していることにより、第２ボルト８２は、太陽電池パネル２の荷重や風力などの外力に対して緩みにくく、固定部材接合部６１を固定部材４に確実に固定することができる。
また、支柱部材５の第１高さ調整用ボルト孔５１および支柱部材接合部６２の第２高さ調整用ボルト孔６８が、全て同一の高さに位置せず、２つずつ異なる高さに位置していることにより、高さ調整用ボルト８３は、太陽電池パネル２の荷重や風力などの外力に対して緩みにくく、支柱部材接合部６２を支柱部材５に確実に固定することができる。
【００５８】
以上、本発明による太陽電池パネル架台３および太陽電池装置１の実施形態について説明したが、本発明は上記の実施形態に限定されるものではなく、その趣旨を逸脱しない範囲で適宜変更可能である。
例えば、上述した実施形態では、各ボルト孔や各ボルトの数や位置が設定されているが、各ボルト孔や各ボルトは、固定部材４や支柱部材５などの大きさや形状に応じて、任意の数や位置に設置されればよい。
また、上述した実施形態では、固定部材４の第２ボルト孔４４および固定部材接合部６１の第４ボルト孔６６が、全て同一の高さに位置せず、２つずつ異なる高さに位置しているが、複数の第２ボルト孔４４および第４ボルト孔６６は、少なくとも１つ以上が他と異なる高さに位置していればよい。
【００５９】
また、上述した実施形態では、支柱部材５の第１高さ調整用ボルト孔５１および支柱部材接合部６２の第２高さ調整用ボルト孔６８が、全て同一の高さに位置せず、２つずつ異なる高さに位置しているが、複数の第１高さ調整用ボルト孔５１および第２高さ調整用ボルト孔６８は、少なくとも１つ以上が他と異なる高さに位置していればよい。
また、上述した実施形態では、太陽電池装置１は、敷地１１に設置されているが、建物の屋根などに設置されていてもよい。
また、上述した実施形態では、角度保持部７を備え、太陽電池パネル２の南北方向の傾斜角度を調整可能に構成されているが、角度保持部７を備えていなくてもよい。
また、上述した実施形態では、太陽電池装置１が設置された状態で設置面１０が傾斜したり、沈下したりした場合を想定しているが、太陽電池装置１を設置する際に、設置面１０が傾斜していたり、沈下していたりした場合に、太陽電池パネル２の傾斜角度や高さを調整するときに適用してもよい。
【符号の説明】
【００６０】
１  太陽電池装置
２  太陽電池パネル
３，３Ａ，３Ｂ  太陽電池パネル架台
４  固定部材
５  支柱部材
６  接合部材
１０  設置面
４３  第１ボルト孔（第１締結孔）
４４，４４Ａ，４４Ｂ  第２ボルト孔（第２締結孔）
６１  固定部材接合部
６２  支柱部材接合部
６３  連結用ボルト
６４  ナット
６５  第３ボルト孔（第３締結孔）
６６，６６Ａ，６６Ｂ  第４ボルト孔（第４締結孔）
６７  第１連結用ボルト孔
６８，６８Ａ，６８Ｂ  第２高さ調整用ボルト孔
６９  第２連結用ボルト孔
７１  係止部
７３  被係止部
８１  第１ボルト（第１締結具）
８２  第２ボルト（第２締結具）
８３  高さ調整用ボルト（第３締結具）
【図１】
0005836094.tif 000002
【図２】
0005836094.tif 000003
【図３】
0005836094.tif 000004
【図４】
0005836094.tif 000005
【図５】
0005836094.tif 000006
【図６】
0005836094.tif 000007
【図７】
0005836094.tif 000008
【図８】
0005836094.tif 000009
【図９】
0005836094.tif 000010
【図１０】
0005836094.tif 000011
【図１１】
0005836094.tif 000012
【図１２】
0005836094.tif 000013